(57)【要約】【課題】  下水、し尿、工場排水などの有機物含有排水を生物学的に処理するにあたり、余剰汚泥の発生量を大幅に低減する。これによって、余剰汚泥の廃棄のための後処理が簡単であり、経済性が非常に高い、有機物含有排水の処理方法及び処理装置を提供する。【解決手段】  有機物含有排水の処理装置は、排水（原水）を導入する最初沈殿槽１と、最初沈殿槽１下部の引抜き管１８の途上に介在された引抜きポンプ５と、有機物除去槽（曝気槽）２と、後段沈殿槽３と、後段沈殿槽３において分離した余剰汚泥を含む汚泥含有水を加熱して、汚泥を生物学的に分解容易な形態に変化させる汚泥加熱装置４と、最初沈殿槽１で発生した初沈汚泥を分散させる攪拌手段とを具備し、最初沈殿槽１の底部からの初沈汚泥含有排水の引抜き速度を可変として、最初沈殿槽１からの初沈汚泥の引抜き量を制御する。最初沈殿槽１からの初沈汚泥の引抜き量を、最初沈殿槽１で生じる初沈汚泥の全量に対し、初沈汚泥の除去率が２５％以下となるように制御するのが、好ましい。【選択図】    図１
2005161140.tif 000002
【特許請求の範囲】
【請求項１】
有機物含有排水（原水）を最初沈殿槽に導入し、該沈殿槽において発生した初沈汚泥を含む汚泥含有排水の一部を沈殿槽の底部より引き抜くとともに、有機物及び初沈汚泥含有排水を最初沈殿槽から、有機物を生物学的に分解処理する有機物除去槽に導き、該有機物除去槽において排水中の有機物を生物学的に処理し、有機物除去槽からの余剰汚泥を含む汚泥含有水を後段沈殿槽に導入し、後段沈殿槽において余剰汚泥を分離させて、後段沈殿槽の上部から有機物を含まない処理済み浄水を流出させる一方、後段沈殿槽において分離した余剰汚泥を含む汚泥含有水を取り出して、その少なくとも一部を汚泥加熱装置に導き、該加熱装置において余剰汚泥を加熱して、余剰汚泥を生物学的に分解容易な形態に変化させ、その後、易分解性の余剰汚泥を有機物除去槽へ送って、上記最初沈殿槽を通過後の有機物及び初沈汚泥含有排水と一緒に生物学的処理を行なうこと、上記最初沈殿槽の底部からの初沈汚泥含有排水の引抜き速度を可変として、最初沈殿槽からの初沈汚泥の引抜き量を制御すること、を特徴とする有機物含有排水の処理方法。
【請求項２】
最初沈殿槽からの初沈汚泥の引抜き量を、最初沈殿槽で生じる初沈汚泥の全量に対し、初沈汚泥の除去率が２５％以下となるように制御することを特徴とする、請求項１記載の有機物含有排水の処理方法。
【請求項３】
最初沈殿槽に、該沈殿槽で発生した初沈汚泥を分散させる攪拌手段が備えられるとともに、最初沈殿槽下部の初沈汚泥含有排水引抜き管に引抜きポンプが具備され、最初沈殿槽上部の原水供給管と有機物及び初沈汚泥含有排水の流送管、または有機物及び初沈汚泥含有排水の流送管に、濃度計が具備されており、これらの濃度計の計測値に基づいて、初沈汚泥を分散させる攪拌手段の作動および／または初沈汚泥引抜きポンプの作動を制御して、最初沈殿槽からの初沈汚泥の引抜き量を制御することを特徴とする請求項１または２記載の有機物含有排水の処理方法。
【請求項４】
汚泥加熱装置において、汚泥含有水を温度５０〜１００℃の条件下に０．５〜１２時間滞留させることにより、余剰汚泥を生物学的に分解容易な形態に変化させることを特徴とする請求項１〜３のうちのいずれか一項記載の有機物含有排水の処理方法。
【請求項５】
汚泥加熱装置において、汚泥含有水を温度６５〜９５℃の条件下に２〜８時間滞留させることにより、余剰汚泥を生物学的に分解容易な形態に変化させることを特徴とする請求項４記載の有機物含有排水の処理方法。
【請求項６】
有機物含有排水（原水）中に含まれる有機性浮遊物質（ＳＳ）の絶対量の０．５〜１０倍に相当する汚泥を含む汚泥含有水を、汚泥加熱装置に導入することを特徴とする請求項１〜５のうちのいずれか一項記載の有機物含有排水の処理方法。
【請求項７】
有機物含有排水（原水）を導入する最初沈殿槽と、該沈殿槽において発生した初沈汚泥を含む汚泥含有排水の一部を沈殿槽の底部より引き抜く初沈汚泥引抜きポンプと、有機物及び初沈汚泥含有排水を導入して排水中の有機物を生物学的に処理する有機物除去槽と、有機物除去槽からの余剰汚泥を含む汚泥含有水を導入する後段沈殿槽と、後段沈殿槽において分離した余剰汚泥を含む汚泥含有水を加熱して汚泥を生物学的に分解容易な形態に変化させる汚泥加熱装置と、最初沈殿槽で発生した初沈汚泥を分散させる攪拌手段とを具備し、最初沈殿槽において発生した初沈汚泥を含む汚泥含有排水の一部を沈殿槽の底部より引き抜くとともに、有機物除去槽において排水中の有機物を生物学的に処理し、後段沈殿槽において余剰汚泥を分離させ、余剰汚泥を含む汚泥含有水を取り出して、その少なくとも一部を汚泥加熱装置において加熱して、余剰汚泥を生物学的に分解容易な形態に変化させ、その後、易分解性の余剰汚泥を含む汚泥含有排水を有機物除去槽へ送り、上記最初沈殿槽の底部からの初沈汚泥含有排水の引抜き速度を可変として、最初沈殿槽からの初沈汚泥の引抜き量を制御するようになされていることを特徴とする有機物含有排水の処理装置。
【請求項８】
最初沈殿槽の攪拌手段の作動により初沈汚泥を分散させて、初沈汚泥含有排水の濃度を変更するか、または初沈汚泥含有排水引抜き管の途上に介在された引抜きポンプの作動により初沈汚泥含有排水の引抜き速度を変化させることにより、最初沈殿槽からの初沈汚泥の引抜き量を、最初沈殿槽で生じる初沈汚泥の全量に対し、初沈汚泥の除去率が２５％以下となるように制御するようになされていることを特徴とする、請求項７記載の有機物含有排水の処理装置。
【請求項９】
最初沈殿槽上部の原水供給管と有機物及び初沈汚泥含有排水の流送管、または有機物及び初沈汚泥含有排水の流送管に、濃度計が備えられており、これらの濃度計の計測値に基づいて、初沈汚泥を分散させる攪拌手段の作動および／または初沈汚泥引抜きポンプの作動を制御して、最初沈殿槽からの初沈汚泥の引抜き量を調節するようになされていることを特徴とする請求項７記載の有機物含有排水の処理装置。
【請求項１０】
最初沈殿槽上部の原水供給管と有機物及び初沈汚泥含有排水の流送管、または有機物及び初沈汚泥含有排水の流送管に備えられた濃度計の計測値を演算装置に伝送し、予め設定された最初沈殿槽での初沈汚泥の除去率が２５％以下となるように、初沈汚泥を分散させる攪拌手段の作動および／または初沈汚泥引抜きポンプの作動を制御して、最初沈殿槽からの初沈汚泥の引抜き量を調節するようになされていることを特徴とする請求項９記載の有機物含有排水の処理装置。
【請求項１１】
汚泥加熱装置において、汚泥含有水を温度５０〜１００℃の条件下に０．５〜１２時間滞留させることにより、余剰汚泥を生物学的に分解容易な形態に変化させることを特徴とする請求項７〜１０のうちのいずれか一項記載の有機物含有排水の処理装置。
【請求項１２】
汚泥加熱装置において、汚泥含有水を温度６５〜９５℃の条件下に２〜８時間滞留させることにより、余剰汚泥を生物学的に分解容易な形態に変化させることを特徴とする請求項１１記載の有機物含有排水の処理装置。
【請求項１３】
汚泥加熱装置に、有機物含有排水（原水）中に含まれる有機性浮遊物質（ＳＳ）の絶対量の０．５〜１０倍に相当する汚泥を含む汚泥含有水を導入することを特徴とする請求項７〜１２のうちのいずれか一項記載の有機物含有排水の処理装置。
【発明の詳細な説明】
【技術分野】
【０００１】
本発明は、下水、し尿、工場排水などの有機物含有排水を生物学的に処理する有機物含有排水の処理方法及び処理装置に関するものである。
【背景技術】
【０００２】
一般に、有機物含有排水を生物学的処理すると、排水中の有機物は水と炭酸ガスとに分解されるが、それに伴って余剰汚泥が発生する。余剰汚泥は、脱水処理された後に、多くの場合埋め立て処理されるが、埋立地が枯渇してくるなど、余剰汚泥の処理処分は、大きな社会問題となっている。
【０００３】
そこで、従来、余剰汚泥を嫌気性消化処理する場合もある。しかしながら、余剰汚泥の内容は、そのほとんどが余剰に増殖した微生物であるため、堅い細胞膜に囲まれており、約３０日間という長期間をかけても、消化率が５０％であるという現状であり、嫌気性消化の処理が難しいという問題があった。
【０００４】
また、例えば図４に示すように、従来の有機物含有排水の処理方法において、下水などの有機物含有排水よりなる原水を供給管(24)によって最初沈殿槽(21)に供給し、該沈殿槽(21)において発生した初沈汚泥を分離して、沈殿槽(21)の底部から初沈汚泥排出管(31)から取り出し、さらに余剰汚泥排出管(30)から外部に排出するとともに、最初沈殿槽(21)の上部から流出する処理排水を流送管(25)によって曝気槽(22)に導いて、有機物含有排水の生物学的処理を行なっていた。そして、曝気槽(22)での生物学的処理の終了後、曝気槽(22)からの余剰汚泥を含む流出水を、流送管(26)から後段沈殿槽(23)に導入し、後段沈殿槽(23)において余剰汚泥を分離させて、後段沈殿槽(23)上部の排出管(27)から余剰汚泥を含まない処理水を排出する。一方、後段沈殿槽(23)において分離した余剰汚泥を後段沈殿槽(23)底部の排出管(28)から取り出し、その一部を、曝気槽の汚泥濃度を維持するために、汚泥返送管(29)を経て曝気槽(22)に返送して、最初沈殿槽(21)からの初沈汚泥除去原水と一緒に生物学的処理を行ない、余剰汚泥の残部は、余剰汚泥排出管(30)から初沈汚泥と共に外部に排出していた。
【０００５】
しかしながら、このような従来法によれば、前述のように、余剰汚泥は堅い細胞膜に囲まれているため、余剰汚泥の一部を曝気槽(22)にそのまま戻しても、充分な余剰汚泥減量の効果が得られないという問題があった。
【０００６】
そこで、上記の従来の問題を解決するために、下記の先行特許文献に記載の有機物含有排水の処理方法が開発された。
【特許文献１】特開２００２−２４８５００号公報  この特許文献１に記載の発明は、例えば図５に示すように、有機物含有排水よりなる原水を供給管(42)によって、有機物を生物学的に分解処理する有機物除去槽（曝気槽）(41)に導入し、該有機物除去槽(41)において原水中の有機物を生物学的に処理し、有機物除去槽(41)の内部には膜分離装置（図示略）が浸漬されており、有機物除去槽（曝気槽）(41)の底部から余剰汚泥を含む汚泥混合液を汚泥抜き出し管(44)によって抜き出し、その一部を流送管(45)によって汚泥加熱槽(47)に導き、汚泥加熱槽(47)においては汚泥混合液を加熱して、余剰汚泥を生物学的に分解容易な形態に変化させ、その後、同混合液を有機物除去槽（曝気槽）(41)へ返送して、原水と一緒に生物学的処理を行ない、他方、余剰汚泥の残部を汚泥排出管(46)から外部に排出して、全体として、余剰汚泥を減容化していた。
【発明の開示】
【発明が解決しようとする課題】
【０００７】
上記特許文献１の方法では、有機物含有排水の処理方法において、余剰汚泥の減容化の効果を、ある程度は望めるが、余剰汚泥の後処理を考慮すると、余剰汚泥の発生量はできるだけ少ない方が望ましく、さらなる余剰汚泥の発生量の減量が望まれていた。
【０００８】
本発明の目的は、上記の従来技術の問題を解決し、下水、し尿、工場排水などの有機物含有排水を生物学的に処理するにあたり、余剰汚泥の発生量を大幅に低減することができて、余剰汚泥の廃棄のための後処理が簡単であり、従って、経済性が非常に高い、有機物含有排水の処理方法及び処理装置を提供しようとすることにある。
【課題を解決するための手段】
【０００９】
上記の目的を達成するために、本発明の請求項１記載の有機物含有排水の処理方法の発明は、有機物含有排水（原水）を最初沈殿槽に導入し、該沈殿槽において発生した初沈汚泥を含む汚泥含有排水の一部を沈殿槽の底部より引き抜くとともに、有機物及び初沈汚泥含有排水を最初沈殿槽から、有機物を生物学的に分解処理する有機物除去槽に導き、該有機物除去槽において排水中の有機物を生物学的に処理し、有機物除去槽からの余剰汚泥を含む汚泥含有水を後段沈殿槽に導入し、後段沈殿槽において余剰汚泥を分離させて、後段沈殿槽の上部から有機物を含まない処理済み浄水を流出させる一方、後段沈殿槽において分離した余剰汚泥を含む汚泥含有水を取り出して、その少なくとも一部を汚泥加熱装置に導き、該加熱装置において余剰汚泥を加熱して、余剰汚泥を生物学的に分解容易な形態に変化させ、その後、易分解性の余剰汚泥を有機物除去槽へ送って、上記最初沈殿槽を通過後の有機物及び初沈汚泥含有排水と一緒に生物学的処理を行なうこと、上記最初沈殿槽の底部からの初沈汚泥含有排水の引抜き速度を可変として、最初沈殿槽からの初沈汚泥の引抜き量を制御すること、を特徴としている。
【００１０】
本発明の請求項２記載の有機物含有排水の処理方法の発明は、上記請求項１記載の発明において、最初沈殿槽からの初沈汚泥の引抜き量を、最初沈殿槽で生じる初沈汚泥の全量に対し、初沈汚泥の除去率が２５％以下となるように制御することを特徴としている。
【００１１】
なお、最初沈殿槽からの初沈汚泥の引抜き量を、最初沈殿槽で生じる初沈汚泥の全量に対し、初沈汚泥の除去率が、好ましくは０．１〜２５％、望ましくは０．１〜２．０％となるように制御することが、好ましい。
【００１２】
本発明の請求項３記載の有機物含有排水の処理方法の発明は、上記請求項１記載の発明において、最初沈殿槽に、該沈殿槽で発生した初沈汚泥を分散させる攪拌手段が備えられるとともに、最初沈殿槽下部の初沈汚泥含有排水引抜き管に引抜きポンプが具備され、最初沈殿槽上部の原水供給管と有機物及び初沈汚泥含有排水の流送管、または有機物及び初沈汚泥含有排水の流送管に、濃度計が具備されており、これらの濃度計の計測値に基づいて、初沈汚泥を分散させる攪拌手段の作動および／または初沈汚泥引抜きポンプの作動を制御して、最初沈殿槽からの初沈汚泥の引抜き量を制御することを特徴としている。
【００１３】
上記請求項１〜３のうちのいずれか一項記載の有機物含有排水の処理方法においては、汚泥加熱装置において、汚泥含有水を温度５０〜１００℃の条件下に０．５〜１２時間、好ましくは温度６５〜９５℃の条件下に２〜８時間、滞留させることにより、余剰汚泥を生物学的に分解容易な形態に変化させるのが、好ましい。
【００１４】
また、上記の有機物含有排水の処理方法においては、有機物含有排水（原水）中に含まれる有機性浮遊物質（ＳＳ）の絶対量の０．５〜１０倍に相当する汚泥を含む汚泥含有水を、汚泥加熱装置に導入するのが、好ましい。
【００１５】
本発明の請求項７記載の有機物含有排水の処理装置の発明は、有機物含有排水（原水）を導入する最初沈殿槽と、該沈殿槽において発生した初沈汚泥を含む汚泥含有排水の一部を沈殿槽の底部より引き抜く初沈汚泥引抜きポンプと、有機物及び初沈汚泥含有排水を導入して排水中の有機物を生物学的に処理する有機物除去槽と、有機物除去槽からの余剰汚泥を含む汚泥含有水を導入する後段沈殿槽と、後段沈殿槽において分離した余剰汚泥を含む汚泥含有水を加熱して、汚泥を生物学的に分解容易な形態に変化させる汚泥加熱装置と、最初沈殿槽で発生した初沈汚泥を分散させる攪拌手段とを具備し、最初沈殿槽において発生した初沈汚泥を含む汚泥含有排水の一部を沈殿槽の底部より引き抜くとともに、有機物除去槽において排水中の有機物を生物学的に処理し、後段沈殿槽において余剰汚泥を分離させ、余剰汚泥を含む汚泥含有水を取り出して、その少なくとも一部を汚泥加熱装置において加熱して、余剰汚泥を生物学的に分解容易な形態に変化させ、その後、易分解性の余剰汚泥を含む汚泥含有排水を有機物除去槽へ送り、上記最初沈殿槽の底部からの初沈汚泥含有排水の引抜き速度を可変として、最初沈殿槽からの初沈汚泥の引抜き量を制御するようになされていることを特徴としている。
【００１６】
本発明の請求項８記載の有機物含有排水の処理装置の発明は、上記請求項７記載の発明において、最初沈殿槽の攪拌手段の作動により初沈汚泥を分散させて、初沈汚泥含有排水の濃度を変更するか、または初沈汚泥含有排水引抜き管の途上に介在された引抜きポンプの作動により初沈汚泥含有排水の引抜き速度を変化させることにより、最初沈殿槽からの初沈汚泥の引抜き量を、最初沈殿槽で生じる初沈汚泥の全量に対し、初沈汚泥の除去率が２５％以下となるように制御するようになされていることを特徴としている。
【００１７】
本発明の請求項９記載の有機物含有排水の処理装置の発明は、上記請求項７記載の発明において、最初沈殿槽上部の原水供給管と有機物及び初沈汚泥含有排水の流送管、または有機物及び初沈汚泥含有排水の流送管に、濃度計が備えられており、これらの濃度計の計測値に基づいて、初沈汚泥を分散させる攪拌手段の作動および／または初沈汚泥引抜きポンプの作動を制御して、最初沈殿槽からの初沈汚泥の引抜き量を調節するようになされていることを特徴としている。
【００１８】
本発明の請求項１０記載の有機物含有排水の処理装置の発明は、上記請求項９記載の発明において、最初沈殿槽上部の原水供給管と有機物及び初沈汚泥含有排水の流送管、または有機物及び初沈汚泥含有排水の流送管に備えられた濃度計の計測値を演算装置に伝送し、予め設定された最初沈殿槽での初沈汚泥の除去率が２５％以下となるように、初沈汚泥を分散させる攪拌手段の作動および／または初沈汚泥引抜きポンプの作動を制御して、最初沈殿槽からの初沈汚泥の引抜き量を調節するようになされていることを特徴としている。
【００１９】
上記本発明の請求項７〜１０のうちのいずれか一項記載の有機物含有排水の処理装置においては、汚泥加熱装置において、汚泥含有水を温度５０〜１００℃の条件下に０．５〜１２時間、好ましくは温度６５〜９５℃の条件下に２〜８時間、滞留させることにより、余剰汚泥を生物学的に分解容易な形態に変化させることが、好ましい。
【００２０】
上記本発明の有機物含有排水の処理装置においては、汚泥加熱装置に、有機物含有排水（原水）中に含まれる有機性浮遊物質（ＳＳ）の絶対量の０．５〜１０倍に相当する汚泥を含む汚泥含有水を導入することが、好ましい。
【発明の効果】
【００２１】
本発明の請求項１記載の有機物含有排水の処理方法の発明は、上述のように、有機物含有排水（原水）を最初沈殿槽に導入し、該沈殿槽において発生した初沈汚泥を含む汚泥含有排水の一部を沈殿槽の底部より引き抜くとともに、有機物及び初沈汚泥含有排水を最初沈殿槽から、有機物を生物学的に分解処理する有機物除去槽に導き、該有機物除去槽において排水中の有機物を生物学的に処理し、有機物除去槽からの余剰汚泥を含む汚泥含有水を後段沈殿槽に導入し、後段沈殿槽において余剰汚泥を分離させて、後段沈殿槽の上部から有機物を含まない処理済み浄水を流出させる一方、後段沈殿槽において分離した余剰汚泥を含む汚泥含有水を取り出して、その少なくとも一部を汚泥加熱装置に導き、該加熱装置において余剰汚泥を加熱して、余剰汚泥を生物学的に分解容易な形態に変化させ、その後、易分解性の余剰汚泥を有機物除去槽へ送って、上記最初沈殿槽を通過後の有機物及び初沈汚泥含有排水と一緒に生物学的処理を行なうこと、上記最初沈殿槽の底部からの初沈汚泥含有排水の引抜き速度を可変として、最初沈殿槽からの初沈汚泥の引抜き量を制御すること、を特徴とするもので、本発明によれば、下水、し尿、工場排水などの有機物含有排水を生物学的に処理するにあたり、余剰汚泥（初沈汚泥を含む）の発生量を大幅に低減することができて、余剰汚泥の廃棄のための後処理が簡単であり、従って、経済性が非常に高いものであるという効果を奏する。
【００２２】
本発明の請求項２記載の有機物含有排水の処理方法の発明は、上述のように、上記請求項１記載の発明において、最初沈殿槽からの初沈汚泥の引抜き量を、最初沈殿槽で生じる初沈汚泥の全量に対し、初沈汚泥の除去率が２５％以下となるように制御することを特徴とするものである。最初沈殿槽からの初沈汚泥の引抜き量を抑制することにより、余剰汚泥（初沈汚泥を含む）の発生量を、全体として大幅に低減し得ることが、本発明者らによって見出された。初沈汚泥の除去率は、わずかであっても余剰汚泥の発生抑制の効果は生じるが、最初沈殿槽で生じる初沈汚泥の全量に対し２５％以下とするのが、好ましい。
【００２３】
本発明の請求項３記載の有機物含有排水の処理方法の発明は、上述のように、上記請求項１記載の発明において、最初沈殿槽に、該沈殿槽で発生した初沈汚泥を分散させる攪拌手段が備えられるとともに、最初沈殿槽下部の初沈汚泥含有排水引抜き管に引抜きポンプが具備され、最初沈殿槽上部の原水供給管と有機物及び初沈汚泥含有排水の流送管、または有機物及び初沈汚泥含有排水の流送管に、濃度計が具備されており、これらの濃度計の計測値に基づいて、初沈汚泥を分散させる攪拌手段の作動および／または初沈汚泥引抜きポンプの作動を制御して、最初沈殿槽からの初沈汚泥の引抜き量を制御することを特徴とするもので、本発明によれば、最初沈殿槽からの初沈汚泥の引抜き量の制御を、自動的に行なうことができるという効果を奏する。
【００２４】
上記請求項１〜３のうちのいずれか一項記載の有機物含有排水の処理方法においては、汚泥加熱装置において、汚泥含有水を温度５０〜１００℃の条件下に０．５〜１２時間、好ましくは温度６５〜９５℃の条件下に２〜８時間、滞留させることにより、余剰汚泥を生物学的に分解容易な形態に変化させるのが、好ましい。
【００２５】
上記において、余剰汚泥は、堅い細胞膜に囲まれているが、その内部に豊富な有機物を含有している。細胞膜を破壊して、易分解性となった余剰汚泥を含む汚泥含有水を有機物除去槽に返送すれば、有機物除去槽において、易分解性の余剰汚泥と初沈汚泥とは、水と炭酸ガスとに分解される。結果として、有機物含有排水の処理プロセスから排出される余剰汚泥（初沈汚泥を含む）の発生量を抑制することができるものである。
【００２６】
本発明の有機物含有排水の処理方法においては、余剰汚泥の堅い細胞膜を破壊して、これらの汚泥を生物学的に分解容易な形態に変化させる手段として、加熱を用いている。汚泥加熱装置を上記のような高温に維持することよって、余剰汚泥の堅い細胞膜は破壊される。このように、汚泥加熱装置で高温に加熱することよって、難分解性の余剰汚泥を、生物学的に分解容易な易分解性の形態に変化させることができるものである。また、本発明においては、余剰汚泥の堅い細胞膜を破壊するために薬剤を用いておらず、従って、生物処理や放流水質への悪影響もないものである。
【００２７】
なお、上記の有機物含有排水の処理方法においては、有機物含有排水（原水）中に含まれる有機性浮遊物質（ＳＳ）の絶対量の０．５〜１０倍に相当する汚泥を含む汚泥含有水を、汚泥加熱装置に導入するのが、好ましい。
【００２８】
本発明の請求項７記載の有機物含有排水の処理装置の発明は、上述のように、有機物含有排水（原水）を導入する最初沈殿槽と、該沈殿槽において発生した初沈汚泥を含む汚泥含有排水の一部を沈殿槽の底部より引き抜く初沈汚泥引抜きポンプと、有機物及び初沈汚泥含有排水を導入して排水中の有機物を生物学的に処理する有機物除去槽と、有機物除去槽からの余剰汚泥を含む汚泥含有水を導入する後段沈殿槽と、後段沈殿槽において分離した余剰汚泥を含む汚泥含有水を加熱して、汚泥を生物学的に分解容易な形態に変化させる汚泥加熱装置と、最初沈殿槽で発生した初沈汚泥を分散させる攪拌手段とを具備し、最初沈殿槽において発生した初沈汚泥を含む汚泥含有排水の一部を沈殿槽の底部より引き抜くとともに、有機物除去槽において排水中の有機物を生物学的に処理し、後段沈殿槽において余剰汚泥を分離させ、余剰汚泥を含む汚泥含有水を取り出して、その少なくとも一部を汚泥加熱装置において加熱して、余剰汚泥を生物学的に分解容易な形態に変化させ、その後、易分解性の余剰汚泥を含む汚泥含有排水を有機物除去槽へ送り、上記最初沈殿槽の底部からの初沈汚泥含有排水の引抜き速度を可変として、最初沈殿槽からの初沈汚泥の引抜き量を制御するようになされていることを特徴とするもので、本発明によれば、下水、し尿、工場排水などの有機物含有排水を生物学的に処理するにあたり、余剰汚泥（初沈汚泥を含む）の発生量を大幅に低減することができて、余剰汚泥の廃棄のための後処理が簡単であり、従って、経済性が非常に高いという効果を奏する。
【００２９】
本発明の請求項８記載の有機物含有排水の処理装置の発明は、上述のように、上記請求項７記載の発明において、最初沈殿槽の攪拌手段の作動により初沈汚泥を分散させて、初沈汚泥含有排水の濃度を変更するか、または初沈汚泥含有排水引抜き管の途上に介在された引抜きポンプの作動により初沈汚泥含有排水の引抜き速度を変化させることにより、最初沈殿槽からの初沈汚泥の引抜き量を、最初沈殿槽で生じる初沈汚泥の全量に対し、初沈汚泥の除去率が２５％以下となるように制御するようになされていることを特徴とするものである。最初沈殿槽からの初沈汚泥の引抜き量を抑制することにより、余剰汚泥（初沈汚泥を含む）の発生量を、全体として大幅に低減することができる。この初沈汚泥の除去率は、わずかであっても余剰汚泥の発生抑制の効果は生じるが、最初沈殿槽で生じる初沈汚泥の全量に対し２５％以下とするのが、好ましい。
【００３０】
本発明の請求項９記載の有機物含有排水の処理装置の発明は、上述のように、上記請求項７記載の発明において、最初沈殿槽上部の原水供給管と有機物及び初沈汚泥含有排水の流送管、または有機物及び初沈汚泥含有排水の流送管に、濃度計が備えられており、これらの濃度計の計測値に基づいて、初沈汚泥を分散させる攪拌手段の作動および／または初沈汚泥引抜きポンプの作動を制御して、最初沈殿槽からの初沈汚泥の引抜き量を調節するようになされていることを特徴とするもので、本発明によれば、最初沈殿槽からの初沈汚泥の引抜き量の制御を、自動的に行なうことができるという効果を奏する。
【００３１】
本発明の請求項１０記載の有機物含有排水の処理装置の発明は、上述のように、上記請求項９記載の発明において、最初沈殿槽上部の原水供給管と有機物及び初沈汚泥含有排水の流送管、または有機物及び初沈汚泥含有排水の流送管に備えられた濃度計の計測値を演算装置に伝送し、予め設定された最初沈殿槽での初沈汚泥の除去率が２５％以下となるように、初沈汚泥を分散させる攪拌手段の作動および／または初沈汚泥引抜きポンプの作動を制御して、最初沈殿槽からの初沈汚泥の引抜き量を調節するようになされていることを特徴とするもので、本発明によれば、最初沈殿槽からの初沈汚泥の引抜き量の制御を、自動的に、より確実に行なうことができるという効果を奏する。
【００３２】
上記本発明の請求項７〜１０のうちのいずれか一項記載の有機物含有排水の処理装置においては、汚泥加熱装置において、汚泥含有水を温度５０〜１００℃の条件下に０．５〜１２時間、好ましくは温度６５〜９５℃の条件下に２〜８時間、滞留させることにより、余剰汚泥を生物学的に分解容易な形態に変化させることが、好ましい。汚泥加熱装置を上記のような高温に維持することよって、余剰汚泥の堅い細胞膜は破壊される。このように、汚泥加熱装置で高温に加熱することよって、難分解性の余剰汚泥を、生物学的に分解容易な易分解性の形態に変化させることができるものである。
【００３３】
上記本発明の有機物含有排水の処理装置においては、汚泥加熱装置に、有機物含有排水（原水）中に含まれる有機性浮遊物質（ＳＳ）の絶対量の０．５〜１０倍に相当する汚泥を含む汚泥含有水を導入することが、好ましい。
【発明を実施するための最良の形態】
【００３４】
つぎに、本発明の実施の形態を、図面を参照して説明するが、本発明はこれらに限定されるものではない。
【００３５】
図１は、本発明による有機物含有排水の処理装置の実施形態を示すフローシートである。同図において、本発明による有機物含有排水の処理装置は、下水、し尿、工場排水などの有機物含有排水（原水）を供給管(11)から導入する最初沈殿槽(1) と、最初沈殿槽(1) 下部の初沈汚泥含有排水引抜き管(18)の途上に介在されかつ該沈殿槽(1) において発生した初沈汚泥を含む汚泥含有排水の一部を引き抜く初沈汚泥引抜きポンプ(5) と、有機物及び初沈汚泥含有排水を導入して排水中の有機物を生物学的に処理する有機物除去槽（曝気槽）(2) と、有機物除去槽(2) からの余剰汚泥を含む汚泥含有水を導入する後段沈殿槽(3) と、後段沈殿槽(3) において分離した余剰汚泥を含む汚泥含有水を加熱して、汚泥を生物学的に分解容易な形態に変化させる汚泥加熱装置(4) と、最初沈殿槽(1) で発生した初沈汚泥を分散させる攪拌手段（図示略）とを具備している。なお、最初沈殿槽(1) で発生した初沈汚泥を分散させる手段としては、攪拌機の他、最初沈殿槽(1) 内に空気を吹き込む、最初沈殿槽(1) 内にポンプで水流を形成するなどの手段があり、これらの手段に限定されない。
【００３６】
本発明による有機物含有排水の処理方法によれば、有機物含有排水（原水）を、原水供給管(11)によって最初沈殿槽(1) に導入する。該沈殿槽(1) において発生した初沈汚泥を含む汚泥含有排水の一部を、初沈汚泥引抜きポンプ(5) の作動によって沈殿槽(1) 底部の引抜き管(18)より引き抜くとともに、有機物及び初沈汚泥含有排水を最初沈殿槽(1) の上部に接続された流送管(12)によって、有機物を生物学的に分解処理する有機物除去槽(2) に導く。該有機物除去槽(2) としては、通常、曝気槽を使用し、有機物除去槽(2) において、排水中の有機物を生物学的に処理し、有機物を水と炭酸ガスとに分解する。
【００３７】
これに伴って、有機物除去槽(2) において発生した余剰汚泥を含む汚泥含有水を、流送管(13)によって有機物除去槽(2) から後段沈殿槽(3) に導入する。後段沈殿槽(3) においては、余剰汚泥を分離させ、後段沈殿槽(3) の上部から有機物を含まない処理済み浄水を、処理済み水流出管(14)から流出させる。一方、後段沈殿槽(3) において分離した余剰汚泥を含む汚泥含有水を、後段沈殿槽(3) 底部に接続された余剰汚泥取出し管(15)から取り出して、その少なくとも一部を、返送管(16)によって汚泥加熱装置(4) に導き、該加熱装置(4) において余剰汚泥を加熱して、余剰汚泥を生物学的に分解容易な形態に変化させる。
【００３８】
汚泥加熱装置(4) の運転方式は、バッチ式、連続式のいずれにも適用することができる。有機物除去槽(2) への返送方法は、有機物除去槽(2) での負荷変動を考慮すると、連続式の方が、好ましい。
【００３９】
その後、上記の易分解性の余剰汚泥を含む汚泥含有水を、流送管(16)及び流送管(12)を経て、有機物除去槽(2) へ送って、上記最初沈殿槽(1) を通過後の有機物及び初沈汚泥含有排水と一緒に生物学的処理を行なうものである。
【００４０】
なお、後段沈殿槽(3) から余剰汚泥取出し管(15)によって取り出した余剰汚泥の残部は、排出管(17)から系外に排出して、脱水処理など、所定の廃棄処理を行なうが、必要に応じて、有機物除去槽（曝気槽）(2) の汚泥濃度を維持するために、後段沈殿槽(3) から余剰汚泥取出し管(15)によって取り出した余剰汚泥の所要量を、余剰汚泥返送管(10)によって有機物除去槽(2) へ直接返送する場合もある。
【００４１】
本発明の有機物含有排水の処理方法によれば、上記最初沈殿槽(1) の底部からの初沈汚泥含有排水の引抜き速度を可変として、最初沈殿槽(1) からの初沈汚泥の引抜き量を制御することを特徴としている。
【００４２】
ここで、最初沈殿槽(1) で発生する初沈汚泥の有機物含量を測定すると、９３％と高く、充分に生物処理されるポテンシャルを有している。
【００４３】
本発明のように、最初沈殿槽(1) からの初沈汚泥の引抜き量を抑制すると、初沈汚泥の大部分は有機物除去槽(2) に流入することになる。そして、この有機物除去槽(2) で分解されなかった初沈汚泥は、余剰汚泥に含まれて、有機物除去槽(2) から後段沈殿槽(3) を経て汚泥加熱装置(4) に流入する。該汚泥加熱装置(4) における加熱により、余剰汚泥に含まれた初沈汚泥は、余剰汚泥と共に生物学的に分解容易な形態に変化し、その後、有機物除去槽(2) へと返送されて、最終的に、水と炭酸ガスとに分解される。その結果、本発明によれば、有機物含有排水の処理プロセスから排出される余剰汚泥（初沈汚泥を含む）の発生量を、全体として大幅に低減することができるものである。
【００４４】
また、本発明において、最初沈殿槽(1) からの初沈汚泥の引抜き量を、最初沈殿槽(1) で生じる初沈汚泥の全量に対し、初沈汚泥の除去率が２５％以下となるように制御する。最初沈殿槽(1) からの初沈汚泥の引抜き量を抑制することにより、余剰汚泥（初沈汚泥を含む）の発生量を、全体として大幅に低減し得るものである。初沈汚泥の除去率は、わずかであっても余剰汚泥の発生抑制の効果は生じるが、最初沈殿槽(1) で生じる初沈汚泥の全量に対し２５％以下とするのが、好ましい。
【００４５】
本発明においては、最初沈殿槽(1) に、該沈殿槽(1) で発生した初沈汚泥を分散させるために攪拌手段（図示略）が備えられるとともに、最初沈殿槽(1) 底部の初沈汚泥含有排水引抜き管(18)に引抜きポンプ(5) が具備され、最初沈殿槽(1) 上部の原水供給管(11)と有機物及び初沈汚泥含有排水の流送管(12)、または有機物及び初沈汚泥含有排水の流送管(12)に、濃度計(6)(7)が具備されており、これらの濃度計(6)(7)の計測値に基づいて、初沈汚泥を分散させる攪拌手段（図示略）の作動および／または初沈汚泥引抜きポンプ(5) の作動を制御して、最初沈殿槽(1) からの初沈汚泥の引抜き量を制御するものである。これにより、最初沈殿槽(1) からの初沈汚泥の引抜き量の制御を、自動的に行なうことができる。
【００４６】
そして、この場合、濃度計(6)(7)の計測値を演算装置(8) に伝送し、演算装置(8) からの伝送信号(19)(20)により、予め設定された最初沈殿槽(1) での初沈汚泥の除去率が２５％以下となるように、初沈汚泥を分散させる攪拌手段（図示略）の作動および／または初沈汚泥引抜きポンプ(5) の作動を制御して、最初沈殿槽(1) からの初沈汚泥の引抜き量を調節することにより、最初沈殿槽(1) からの初沈汚泥の引抜き量の制御を、自動的に、より確実に行なうことができるものである。
【００４７】
なお、初沈汚泥引抜きポンプ(5) としては、通常、流量可変ポンプを使用し、演算装置(8) からの伝送信号(19)(20)によりポンプの回転数を制御して、最初沈殿槽(1) からの初沈汚泥の引抜き量を調節するが、例えば、初沈汚泥引抜きポンプ(5) として、定回転ポンプを使用する場合は、演算装置(8) からの伝送信号(19)(20)により流量調節バルブ（図示略）の開度を制御して、最初沈殿槽(1) からの初沈汚泥の引抜き量を調節するようにすれば、良い。
【００４８】
また、本発明の有機物含有排水の処理方法においては、汚泥加熱装置(4) において、汚泥含有水を温度５０〜１００℃の条件下に０．５〜１２時間、好ましくは温度６５〜９５℃の条件下に２〜８時間、滞留させることにより、余剰汚泥を生物学的に分解容易な形態に変化させるのが、好ましい。
【００４９】
ここで、余剰汚泥は、堅い細胞膜に囲まれているが、その内部に豊富な有機物を含有している。細胞膜を破壊して、易分解性となった余剰汚泥を含む汚泥含有水を有機物除去槽(2) に返送すれば、有機物除去槽(2) において、易分解性の余剰汚泥（初沈汚泥を含む）は、水と炭酸ガスとに分解される。結果として、有機物含有排水の処理プロセスから排出される余剰汚泥（初沈汚泥を含む）の発生量を抑制することができるものである。
【００５０】
本発明の有機物含有排水の処理方法においては、余剰汚泥の堅い細胞膜を破壊して、これらの汚泥を生物学的に分解容易な形態に変化させる手段として、加熱を用いている。汚泥加熱装置(4) を、上記のような高温に維持することよって、余剰汚泥の堅い細胞膜は破壊される。このように、汚泥加熱装置(4) で高温に加熱することよって、難分解性の余剰汚泥を、生物学的に分解容易な易分解性の形態に変化させることができるものである。また、本発明においては、余剰汚泥の堅い細胞膜を破壊するために薬剤を用いておらず、従って、生物処理や放流水質への悪影響もないものである。
【００５１】
本発明による有機物含有排水の処理方法においては、有機物含有排水（原水）中に含まれる有機性浮遊物質（ＳＳ）の絶対量の０．５〜１０倍に相当する汚泥を含む汚泥含有水を、汚泥加熱装置(4) に導入するのが、好ましい。
【実施例】
【００５２】
以下、本発明の実施例を比較例と共に説明するが、本発明はこれらに限定されるものではない。
【００５３】
実施例１
図１に示す本発明による有機物含有排水の処理装置を用いて、本発明による有機物含有排水の処理方法により、下水（有機物含有排水）の浄化処理を行なう実験を実施した。
【００５４】
まず、有機物含有濃度（ＳＳ）が２００ｍｇ／リットルである下水（有機物含有排水＝原水）７２ｍ３  ／ｄを、原水供給管(11)によって最初沈殿槽(1) に導入した。該沈殿槽(1) において発生した初沈汚泥を含む汚泥含有排水の一部を、初沈汚泥引抜きポンプ(5) の作動によって沈殿槽(1) 底部の引抜き管(18)より引き抜いた。この場合、初沈汚泥の引抜き量は、０．０９ｋｇ／ｄであった。この実施例では、初沈汚泥の引抜きは、４０分の１に抑制した。また、最初沈殿槽(1) 下部での初沈汚泥の堆積、圧密を防止するために、最初沈殿槽(1) の下部内に、緩速攪拌手段（図示略）を設置した。
【００５５】
一方、最初沈殿槽(1) の上澄み水の有機物含有濃度（ＳＳ）を求めると、１９８．７５ｍｇ／リットルであり、従って、最初沈殿槽(1) の初沈汚泥の除去率は、０．６％であった。
【００５６】
ここで、最初沈殿槽(1) で発生する初沈汚泥の有機物含量を測定すると、９３％と高く、充分に生物処理されるポテンシャルを有していた。
【００５７】
また、この実施例においては、最初沈殿槽(1) 上部の原水供給管(11)と有機物及び初沈汚泥含有排水の流送管(12)、または有機物及び初沈汚泥含有排水の流送管(12)に、濃度計(6)(7)が具備されており、これらの濃度計(6)(7)の計測値に基づいて、初沈汚泥を分散させる緩速攪拌手段（図示略）の作動および／または初沈汚泥引抜きポンプ(5) の作動を制御して、最初沈殿槽(1) からの初沈汚泥の引抜き量を制御した。そして、この場合、濃度計(6)(7)の計測値を演算装置(8) に伝送し、演算装置(8) からの伝送信号(19)(20)により、予め設定された最初沈殿槽(1) での初沈汚泥の除去率が、上記の０．６％となるように、初沈汚泥を分散させる攪拌手段（図示略）の作動および／または初沈汚泥引抜きポンプ(5) の作動を制御して、最初沈殿槽(1) からの初沈汚泥の引抜き量を調節することにより、最初沈殿槽(1) からの初沈汚泥の引抜き量の制御を自動的に行なった。なお、初沈汚泥引抜きポンプ(5) としては、流量可変ポンプを使用し、演算装置(8) からの伝送信号(19)(20)によりポンプの回転数を制御して、最初沈殿槽(1) からの初沈汚泥の引抜き量を調節した。
【００５８】
つぎに、最初沈殿槽(1) の上部から有機物及び初沈汚泥含有排水を、流送管(12)によって容積２０ｍ３  を有する有機物除去槽（曝気槽）(2) に導いた。
【００５９】
有機物除去槽(2) において、排水中の有機物を生物学的に処理し、有機物を水と炭酸ガスとに分解した。そして、有機物除去槽(2) において発生した余剰汚泥を含む汚泥含有水を、流送管(13)によって有機物除去槽(2) から後段沈殿槽(3) に導入した。後段沈殿槽(3) においては、余剰汚泥を分離させ、後段沈殿槽(3) の上部から有機物を含まない処理済み浄水を、処理済み水流出管(14)から流出させる。一方、後段沈殿槽(3) において分離した余剰汚泥を含む汚泥含有水を、後段沈殿槽(3) 底部に接続された余剰汚泥取出し管(15)から取り出して、その少なくとも一部を、返送管(16)によって汚泥加熱装置(4) に導き、該加熱装置(4) において余剰汚泥を、９０℃で、４時間加熱して、余剰汚泥を生物学的に分解容易な形態に変化させた。
【００６０】
すなわち、余剰汚泥は、堅い細胞膜に囲まれているが、その内部に豊富な有機物を含有しており、この細胞膜を破壊して、易分解性となった余剰汚泥を含む汚泥含有水を有機物除去槽(2) に返送することにより、有機物除去槽(2) において、易分解性の余剰汚泥（初沈汚泥を含む）は、水と炭酸ガスとに分解される。その結果、本発明によれば、有機物含有排水の処理プロセスから排出される余剰汚泥（初沈汚泥を含む）の発生量を、全体として大幅に低減することができるものである。
【００６１】
なお、後段沈殿槽(3) から余剰汚泥取出し管(15)によって取り出した余剰汚泥の残部を、有機物除去槽（曝気槽）(2) の汚泥濃度を維持するために、余剰汚泥返送管(10)によって有機物除去槽(2) へ直接返送する部分を除き、排出管(17)から系外に排出するとともに、最初沈殿槽(1) 下部の初沈汚泥含有排水引抜き管(18)から抜き出した初沈汚泥を含む汚泥含有排水を、排出管(17)から系外に排出して、脱水処理など、所定の廃棄処理を行なった。
【００６２】
そして、図２に、本実施例１における余剰汚泥発生量の経時変化を表すグラフを示した。図２のグラフの横軸には日数（週数）を、縦軸には余剰汚泥発生量の積算値を示している。ここで、余剰汚泥は、初沈汚泥と後段沈殿槽（最終沈殿槽）(3) からの余剰汚泥と処理水へ流出する汚泥の合量と定義した。
【００６３】
なお、本発明において、最初沈殿槽(1) からの初沈汚泥の引抜き量を抑制することにより、余剰汚泥（初沈汚泥を含む）の発生量を、全体として大幅に低減し得るものである。初沈汚泥の除去率は、わずかであっても余剰汚泥の発生抑制の効果は生じるが、最初沈殿槽(1) で生じる初沈汚泥の全量に対し２５％以下とするのが、好ましい。
【００６４】
また、本発明においては、余剰汚泥の堅い細胞膜を破壊するために薬剤を用いておらず、従って、生物処理や放流水質への悪影響もないものであった。
【００６５】
本発明による有機物含有排水の処理方法においては、有機物含有排水（原水）中に含まれる有機性浮遊物質（ＳＳ）の絶対量の０．５〜１０倍に相当する汚泥を含む汚泥含有水を、汚泥加熱装置(4) に導入するのが、好ましい。
【００６６】
比較例１
比較のために、汚泥加熱槽を設置しない図４に示す従来の有機物含有排水の処理装置を用いて、下水（有機物含有排水）の浄化処理を行なう実験を実施した。
【００６７】
まず、有機物含有濃度（ＳＳ）が２００ｍｇ／リットルである下水（有機物含有排水＝原水）７２ｍ３  ／ｄを、供給管(24)によって最初沈殿槽(21)に供給し、該沈殿槽(21)において発生した初沈汚泥を分離して、沈殿槽(21)の底部から初沈汚泥排出管(31)から取り出し、さらにこれを余剰汚泥として、汚泥排出管(30)から外部に放出した。
【００６８】
一方、最初沈殿槽(21)の上部から流出する処理排水を流送管(25)によって容積２０ｍ３  を有する曝気槽(22)に導いて、有機物含有排水の生物学的処理を行なった。そして、曝気槽(22)からの余剰汚泥を含む流出水を、流送管(26)から後段沈殿槽(23)に導入し、後段沈殿槽(23)において余剰汚泥を分離させて、後段沈殿槽(23)上部の排出管(27)から余剰汚泥を含まない処理水を排出させた。後段沈殿槽(23)において分離した余剰汚泥を、後段沈殿槽(23)底部の排出管(28)から取り出し、その一部を、曝気槽(22)の汚泥濃度を維持するために、汚泥返送管(29)を経て曝気槽(22)に返送して、最初沈殿槽(21)からの初沈汚泥除去原水と一緒に生物学的処理を行ない、余剰汚泥の残部は、余剰汚泥排出管(30)から初沈汚泥と共に外部に放出した。
【００６９】
そして、図２に、この比較例１における余剰汚泥発生量の経時変化を表すグラフを、あわせて示した。
【００７０】
図２のグラフから明らかなように、本発明の実施例１による１５週後の余剰汚泥発生量の積算値は、３５２ｋｇであり、一方、比較例１による１５週後の余剰汚泥発生量の積算値は、１０８９ｋｇであった。
【００７１】
従って、本発明の実施例１の比較例１に対する汚泥発生抑制率を計算すると、
（１０８９ｋｇ−７５２ｋｇ）÷１０８９ｋｇ×１００＝約６５％  である。
【００７２】
このように、本発明の実施例１では、比較例１に対し、汚泥発生抑制率が約６５％であった。この結果、比較例１のように、余剰汚泥は堅い細胞膜に囲まれているため、余剰汚泥を処理することなくそのまま曝気槽(22)に戻しても、充分な余剰汚泥減量の効果が得られないものであった。
【００７３】
比較例２
上記実施例１の場合と同様に、下水（有機物含有排水）の浄化処理を行なう実験を実施するが、比較のために、最初沈殿槽(1) において、初沈汚泥の引抜き量の抑制を行なわなかった。
【００７４】
すなわち、有機物含有濃度（ＳＳ）が２００ｍｇ／リットルである下水（有機物含有排水＝原水）７２ｍ３  ／ｄを、原水供給管(11)によって最初沈殿槽(1) に導入した。該沈殿槽(1) において発生した初沈汚泥を含む汚泥含有排水の一部を、初沈汚泥引抜きポンプ(5) の作動によって沈殿槽(1) 底部の引抜き管(18)より引き抜いた。
【００７５】
この比較例２では、最初沈殿槽(1) の上澄み水の有機物含有濃度（ＳＳ）が、１５０ｍｇ／リットルとなるように、初沈汚泥を引き抜いた。従って、初沈汚泥の引抜き量は、３．６ｋｇ／ｄであった。
【００７６】
以下、上記実施例１の場合と同様に、最初沈殿槽(1) の上部から有機物及び初沈汚泥含有排水を、流送管(12)によって容積２０ｍ３  を有する有機物除去槽（曝気槽）(2) に導いた。有機物除去槽(2) において、排水中の有機物を生物学的に処理し、有機物を水と炭酸ガスとに分解した。これに伴って、有機物除去槽(2) において発生した余剰汚泥を含む汚泥含有水を、流送管(13)によって有機物除去槽(2) から後段沈殿槽(3) に導入した。後段沈殿槽(3) においては、余剰汚泥を分離させ、後段沈殿槽(3) の上部から有機物を含まない処理済み浄水を、処理済み水流出管(14)から流出させる。一方、後段沈殿槽(3) において分離した余剰汚泥を含む汚泥含有水を、後段沈殿槽(3) 底部に接続された余剰汚泥取出し管(15)から取り出して、その少なくとも一部を、返送管(16)によって汚泥加熱装置(4) に導き、該加熱装置(4) において余剰汚泥を、９０℃で、４時間加熱した。
【００７７】
そして、汚泥加熱装置(4) からこれらの余剰汚泥を含む汚泥含有水を有機物除去槽(2) に返送し、有機物除去槽(2) において水と炭酸ガスとに分解した。
【００７８】
そして、図３に、この比較例２における余剰汚泥発生量の経時変化を表すグラフを、本発明の実施例１における余剰汚泥発生量の経時変化を表すグラフと共に示した。図３のグラフの横軸には日数（週数）を、縦軸には余剰汚泥発生量の積算値を示している。
【００７９】
図３のグラフから明らかなように、比較例２による１５週後の余剰汚泥発生量の積算値は、７５２ｋｇであった。上記のように、比較例１による１５週後の余剰汚泥発生量の積算値は、１０８９ｋｇであるから、比較例２の比較例１に対する汚泥発生抑制率を計算すると、
（１０８９ｋｇ−７５２ｋｇ）÷１０８９ｋｇ×１００＝約３１％  である。
【００８０】
このように、比較例２による１５週後の余剰汚泥発生量の積算値は、比較例１による１５週後の余剰汚泥発生量の積算値に対し、汚泥発生抑制率が約３１％にとどまった。
【００８１】
上記本発明の実施例１では、汚泥発生抑制率が約６５％であることから、本発明によれば、下水などの有機物含有排水を生物学的に処理するにあたり、最初沈殿槽(1) からの初沈汚泥の引抜き量を制御することにより、余剰汚泥（初沈汚泥を含む）の発生量を大幅に低減することができることが明らかである。
【００８２】
なお、上記実施例１では、本発明による有機物含有排水の処理装置（方法）を用いて、下水（有機物含有排水）の浄化処理を行なっているが、最初沈殿槽(1) からの初沈汚泥の除去率を、最初沈殿槽(1) で生じる初沈汚泥の全量に対し、２５％以下とすることにより、有機物含有濃度（ＳＳ）が下水と異なる排水、例えばし尿や工場排水などの有機物含有排水の生物学的処理にも、本発明を容易に適用することができるものである。
【図面の簡単な説明】
【００８３】
【図１】本発明による有機物含有排水の処理装置の実施形態を示すフローシートである。
【図２】本発明の実施例１における余剰汚泥発生量の経時変化と、比較例１における余剰汚泥発生量の経時変化とを表すグラフである。
【図３】本発明の実施例１における余剰汚泥発生量の経時変化と、比較例２における余剰汚泥発生量の経時変化とを表すグラフである。
【図４】従来法による有機物含有排水の処理装置の実施形態を示すフローシートである。
【図５】従来の特許文献１による有機物含有排水の処理装置の実施形態を示すフローシートである。
【符号の説明】
【００８４】
１：最初沈殿槽
２：曝気槽（有機物除去槽）
３：後段沈殿槽
４：汚泥加熱装置
５：初沈汚泥引抜きポンプ
６：濃度計
７：濃度計
８：演算機
１１：有機物含有排水（原水）供給管
１２：有機物及び初沈汚泥含有排水流送管
１３：余剰汚泥を含む汚泥含有水流送管
１４：処理済み水流出管
１５：余剰汚泥取出し管
１６：返送管
１７：余剰汚泥排出管
１８：初沈汚泥含有排水引抜き管
【図１】
2005161140.tif 000003
【図２】
2005161140.tif 000004
【図３】
2005161140.tif 000005
【図４】
2005161140.tif 000006
【図５】
2005161140.tif 000007